(57)【要約】【課題】安全で、労力を軽減でき施工性が良好になるばかりでなく、錆や腐食に強くライフサイクルコストを大幅に削減でき、網自体のリサイクルも可能である落石防護用柵及び落石防護網を提供する。【解決手段】道路等に近接して落石Ｓのおそれがある斜面１の麓に複数の支柱２を垂設し、これらの支柱２間に横架された複数の横筋３を介してポリエステルモノフィラメントを素材とした網体４を複数枚積層し、壁面状に張設して落石防護柵を構築する。【選択図】  図１
2008019673.tif 000002
【特許請求の範囲】
【請求項１】
ポリエステルモノフィラメントを素材とした網体を複数枚積層してなることを特徴とする落石防護柵及び落石防護網。
【請求項２】
網体を段落し状に積層してなることを特徴とする請求項１記載の落石防護柵及び落石防護網。
【請求項３】
網体の端縁部同士を突き合わせて連結したことを特徴とする請求項１又は請求項２記載の落石防護柵及び落石防護網。
【請求項４】
網体が、下記の特性を有するポリエステルモノフィラメントを素材とし、撚り合わせ部分に溶着または接着を伴うことなく織成してなる多角形の網目を有する合成樹脂製網状体であることを特徴とする請求項１乃至請求項３のいずれかに記載の落石防護柵及び落石防護網。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【発明の詳細な説明】
【技術分野】
【０００１】
本発明は、落石防護柵及び落石防護網に関し、特に道路等に近接して落石の恐れがある斜面等に構築して好適な落石防護柵及び落石防護網の構造に関するものである。
【背景技術】
【０００２】
従来から切土斜面の表層土砂が雨等の自然現象によって流出したり、落石や雪崩等によって斜面が崩壊することを防止するため、種々の斜面安定工法が採用されている。特に道路等に近接して落石の恐れがある斜面部に吊りロープ等により防護柵や防護網等を取付け、落石や雪崩を受け止めて防護する手段が一般に講じられている。
【０００３】
従来の落石防護網は、柵式とポケット式と覆式とに大別される。覆式の落石防護ネットは、広い面積の金網に多数の縦ロープと複数の横ロープを相互間隔をおいて組み込み、各縦ロープと横ロープの端部を斜面にアンカー止めして、このロープ付き金網を斜面になじむように敷設することによって、浮石等を支持して跳石や落石を防止する構造である。一方、ポケット式の落石防護ネットは、沢状部の両側に３メートル〜４メートルの間隔毎に多数のポケット形成用の支柱を上下方向傾動可能に建て込み、各支柱の上部にそれぞれ縦ロープを連結して垂下し、両端がアンカーにより支持された複数の横ロープを斜面に一定の上下間隔で配置して、この縦横ロープに金網を張設して防護網とし、吊りロープで緩衝して支持された支柱で防護網の上部を支柱の高さに吊持して、各支柱によりロープ付き金網をカーテン状に垂設し、ロープ付き金網の全幅に開口されたポケット部を形成し、落石等を収納することにより落石エネルギーを緩衝して吸収する構造になっている。
【０００４】
そして、例えば特許文献１には、金網に多数の縦・横補強ロープとともに左・右縦ロープと上端部横ロープ及び複数の下半部横ロープを組み込み補強して、沢状部等の両側斜面に設けたアンカーに左右の支柱をヒンジ連結して沢状部等の上下方向の傾動を可能に建て込み、両側斜面にアンカーした吊ロープ及びサイドロープの端部を各支柱の上部に連結して支保し、左・右縦ロープの上端部を各支柱の上部に連結するとともに、両側斜面に両端部をアンカーした上端部横ロープを各支柱の上部でスライド可能に支持し、各下半部横ロープの各両端部を両側斜面にアンカーして、金網の上半部分を落石エネルギーを緩衝して吸収するポケット部に構成し、金網の下半部分を沢状部等の地上に敷設して落石等を受け止める敷設部に構成して構築するようにした落石防護ネットの工法が記載されている。
【０００５】
【特許文献１】特許第２９１６６３３号公報
【発明の開示】
【発明が解決しようとする課題】
【０００６】
しかしながら、一般的に防護ネットは金属製で重量があり、これを斜面へ運搬して張り巡らせるのは、危険が伴うとともに作業が極めて困難であり施工性が悪い。また、亜鉛メッキを施し耐久性を向上させてはいるが、錆や腐食には弱く、海岸地帯や火山地帯、工業地帯では頻繁に更新が必要とされライフサイクルコストが嵩む。
【課題を解決するための手段】
【０００７】
上記課題を解決するため、本発明の落石防護柵及び落石防護網は、網体を複数枚積層してなることを第１の特徴とする。また、網体を段落し状に積層してなることを第２の特徴とする。さらに、網の端縁部同士を突き合わせて連結したことを第３の特徴とする。
【０００８】
さらにまた、本発明で使用する網体は、下記の特性を有するポリエステルモノフィラメントを素材とし、撚り合わせ部分に溶着または接着を伴うことなく織成してなる多角形の網目を有する合成樹脂製網状体であることが好ましい。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【発明の効果】
【０００９】
本発明によれば、安全で、労力を軽減でき施工性が良好になるばかりでなく、錆や腐食に強くライフサイクルコストを大幅に削減できる。また、網自体のリサイクルも可能である。
【発明を実施するための最良の形態】
【００１０】
以下、図面に基づいて本発明にかかる落石防護柵及び落石防護網の実施形態を説明する。図１は本発明に係る落石防護柵の構造を模式的に示す側面図、図２は本発明に係るポケット式落石防護網の構造を模式的に示す側面図、図３は本発明に係る覆式落石防護網の構造を模式的に示す側面図、図４及び図５は網体の連結方法を模式的に示す要部正面図である。
【実施例】
【００１１】
図中、１は例えば、道路等に近接して落石Ｓのおそれがある斜面である。この斜面１の麓には複数の支柱２が垂設されており、これらの支柱２間に横架された複数の横筋３を介してポリエステルモノフィラメントを素材とした網体４を複数枚積層し、壁面状に張設されて落石防護柵が構築されている。
【００１２】
また、図２及び図３に示すように、斜面１に突設されると共に、牽引ロープ６とアンカー７により固定支持された複数のポール５間で斜面１の幅方向に取付けられた懸吊ロープ８に網体４がカーテン状に張設されたポケット式落石防護網や覆式落石防護網では、落石Ｓ等が集中しやすい個所の網体４の積層枚数を変えて強度を高めることが可能である。すなわち、段落し状に網体４を積層して施工する。ここで、段落し状とは、複数の網体４を異なる長さに積層して強度を段階的に変化させて施工する方法を言う。
【００１３】
尚、網体４同士の連結は、網体４の端縁部同士を突き合わせて連結されている。すなわち、図４又は図５に示すように、連結部分をコイル線９や鋼線１０を用いて縫うように可動式又は固定式にする。これにより、従来は重ね合わせて連結されていた網体４の重なり分だけ材料を１０％〜２０％削減でき網体４の節約ができる。
【００１４】
ここで、網体４は、下記の特性を有するポリエステルモノフィラメントを素材とし、撚り合わせ部分に溶着または接着を伴うことなく織成してなる多角形の網目を有する合成樹脂製網状体であることが望ましい。
極限粘度＝０．６以上  線径＝１．５〜４．５ｍｍ  強度伸度積＝７５０〜３０００ｋｇ／ｍｍ２・％  摩耗耐久性＝５０００回／ｍｍ２以上。
【図面の簡単な説明】
【００１５】
【図１】本発明に係る落石防護柵の構造を模式的に示す側面図である。
【図２】本発明に係るポケット式落石防護網の構造を模式的に示す側面図である。
【図３】本発明に係る覆式落石防護網の構造を模式的に示す側面図である。
【図４】網体の連結方法を模式的に示す要部正面図である。
【図５】網体の連結方法を模式的に示す要部正面図である。
【符号の説明】
【００１６】
１      斜面
２      支柱
３      横筋
４      網体
５      ポール
６      牽引ロープ
７      アンカー
８      懸吊ロープ
９      コイル線
１０    鋼線
Ｓ      落石
【図１】
2008019673.tif 000003
【図２】
2008019673.tif 000004
【図３】
2008019673.tif 000005
【図４】
2008019673.tif 000006
【図５】
2008019673.tif 000007